(57)【要約】  【課題】  １つの昇降路内に複数台のエレベーターが配置されるエレベーター装置において、エレベーター長尺部材が、昇降路内機器取付け用ブラケットと中間ビームとの隙間へ回り込むことにより引っ掛かるのを、簡易な構造により防止することが可能なエレベーター装置を提供する。  【解決手段】  乗りかごのガイドレール９-１，１０-１に取り付けられる昇降路内機器取付け用のブラケット１５，１６と中間ビーム１２との間にエレベーター長尺部材が入り込む隙間が形成されないように、ブラケット１５，１６のガイドレール側とは反対側の先端部を中間ビーム２まで延長する。好ましくは、隣接して据付けられる一方のエレベーターのガイドレールに取り付けられるブラケットの先端部と、隣接して据付けられる他方のエレベーターのガイドレールに取り付けられるブラケットの先端部とが、中間ビームを囲い込むように設置されて接続されている。【選択図】  図２
2014172713.tif 000002
【特許請求の範囲】
【請求項１】
昇降路内が中間ビームにより複数の昇降路に区画され、複数台のエレベーターが隣接して据え付けられ、乗りかごまたは釣合いおもりのガイドレールに昇降路内機器取付け用ブラケットが固定されたエレベーター装置において、
前記昇降路内機器取付け用ブラケットは、
一端が前記ガイドレールに固定され、
他端が前記ガイドレールとは反対側に延長するように設けられており、
前記昇降路内機器取付け用ブラケットと前記中間ビームとの間にエレベーター長尺部材が入り込む隙間が形成されないように、前記他端を前記中間ビームまで延長したことを特徴とする昇降路内機器取付け用ブラケットへの引掛かり防止構造を有するエレベーター装置。
【請求項２】
請求項１に記載の昇降路内機器取付け用ブラケットへの引掛かり防止構造を有するエレベーター装置において、
前記昇降路内機器取付け用ブラケットは、前記他端が前記中間ビームと交差するように、先端部において隣接するエレベーター方向に曲げられていることを特徴とする昇降路内機器取付け用ブラケットへの引掛かり防止構造を有するエレベーター装置。
【請求項３】
請求項１または２に記載の昇降路内機器取付け用ブラケットへの引掛かり防止構造を有するエレベーター装置において、
隣接して据付けられる一方のエレベーターのガイドレールに取り付けられる昇降路内機器取付け用ブラケットの他端側の先端部と、隣接して据付けられる他方のエレベーターのガイドレールに取り付けられる昇降路内機器取付け用ブラケットの他端側の先端部とが、前記中間ビームを囲い込むように設置されて接続されていることを特徴とする昇降路内機器取付け用ブラケットへの引掛かり防止構造を有するエレベーター装置。
【請求項４】
請求項３に記載の昇降路内機器取付け用ブラケットへの引掛かり防止構造を有するエレベーター装置において、
前記一方のエレベーターのガイドレールに取り付けられる昇降路内機器取付け用ブラケット及び前記他方のエレベーターのガイドレールに取り付けられる昇降路内機器取付け用ブラケットは、それぞれ上下方向に分割されて構成さており、
前記昇降路内機器取付け用ブラケットの他端側のそれぞれの先端部同士が上下左右方向で一部重なり合うようにして接続されることを特徴とする昇降路内機器取付け用ブラケットへの引掛かり防止構造を有するエレベーター装置。
【請求項５】
請求項４に記載の昇降路内機器取付け用ブラケットへの引掛かり防止構造を有するエレベーター装置において、
前記昇降路内機器取付け用ブラケットの他端側のそれぞれの先端部には、接続用ボルト穴が形成されており、前記接続用ボルト穴の一部は、上下左右方向の取り付け位置の調整が可能なように長穴に形成されていることを特徴とする昇降路内機器取付け用ブラケットへの引掛かり防止構造を有するエレベーター装置。
【発明の詳細な説明】
【技術分野】
【０００１】
本発明は、昇降路内機器を取付けるブラケットへの長尺物の引掛かり防止構造を有するエレベーター装置に関する。
【背景技術】
【０００２】
従来、昇降路内に設置されるポジテクタ遮蔽板やリミットスイッチのようなエレベーター機器（昇降路内機器）は、かごまたは釣合いおもりのガイドレールに一端を固定し、他端側が反ガイドレール方向（ガードレール側とは反対側の方向）に延設されたブラケット（昇降路内機器取付け用ブラケット）により取付けられている（例えば特許文献１，２参照）。
【先行技術文献】
【特許文献】
【０００３】
【特許文献１】特開平９-１２２３６号公報
【特許文献２】特開２０００-７２４４号公報
【発明の概要】
【発明が解決しようとする課題】
【０００４】
１つの昇降路に複数台のエレベーターが配置される場合、隣接するエレベーター間にガイドレールを固定するための中間ビームが設置される。この場合、昇降路内機器取付け用ブラケットと中間ビーム間に、主ロープやケーブル等のエレベーター長尺部材が回り込み、エレベーター長尺部材が引掛かり、昇降路内機器を損傷させるおそれがある。
【０００５】
エレベーター長尺部材が回り込むのを防止するため、昇降路内機器取付け用ブラケットの反ガイドレール方向のブラケット先端と中間ビーム間にワイヤーを張ることが考えられる。しかし、すべての昇降路内機器取付け用ブラケットに対して、その施工を行う必要があるため、階床数の多い高層エレベーター等の場合、その作業に長い時間を要する。
【０００６】
また、反ガイドレール方向への延設距離が長い場合、地震による揺れや昇降する乗りかごまたは釣合いおもりの走行振動によってブラケットが振れ、乗りかごや釣合いおもりと接触し昇降路内機器が損傷するおそれがある。
【０００７】
本発明は、１つの昇降路内に複数台のエレベーターが配置されるエレベーター装置において、エレベーター長尺部材が、昇降路内機器取付け用ブラケットと中間ビームとの隙間へ回り込むことにより引っ掛かるのを、簡易な構造により防止することが可能なエレベーター装置を提供することを目的とする。
【０００８】
また、本発明は、昇降路内機器取付け用ブラケットが、地震により揺れたり、昇降する乗りかごまたは釣合いおもりの走行振動により振れたりするのを抑制することが可能なエレベーター装置を提供することを目的とする。
【課題を解決するための手段】
【０００９】
本発明は、乗りかご又は釣合いおもりのガイドレールに取り付けられる昇降路内機器取付け用ブラケットと中間ビームとの間にエレベーター長尺部材が入り込む隙間が形成されないように、昇降路内機器取付け用ブラケットのガイドレール側とは反対側の先端部を中間ビームまで延長したことを特徴とする。
【００１０】
また、本発明は、隣接して据付けられる一方のエレベーターのガイドレールに取り付けられる昇降路内機器取付け用ブラケットの先端部と、隣接して据付けられる他方のエレベーターのガイドレールに取り付けられる昇降路内機器取付け用ブラケットの先端部とが、中間ビームを囲い込むように設置されて接続されていることを特徴とする。
【発明の効果】
【００１１】
本発明によれば、１つの昇降路内に複数台のエレベーターが配置されるエレベーター装置において、エレベーター長尺部材が、昇降路内機器取付け用ブラケットと中間ビームとの隙間へ回り込むことにより引っ掛かるのを、簡易な構造により防止することが可能となる。
【００１２】
また、本発明によれば、昇降路内機器取付け用ブラケットが、地震により揺れたり、昇降する乗りかごまたは釣合いおもりの走行振動により振れたりするのを抑制することが可能となる。
【００１３】
上記した以外の課題、構成及び効果は、以下の実施形態の説明により明らかにされる。
【図面の簡単な説明】
【００１４】
【図１】本発明の実施の形態に係るエレベーター昇降路の平面図。
【図２】図１に示すブラケット部の拡大斜視図。
【図３Ａ】図２に示すブラケットの詳細斜視図。
【図３Ｂ】図２に示すブラケットの詳細斜視図。
【図３Ｃ】図２に示すブラケットの詳細斜視図。
【図３Ｄ】図２に示すブラケットの詳細斜視図。
【図４】本発明の他の実施の形態に係るエレベーター昇降路の平面図。
【発明を実施するための形態】
【００１５】
以下、図面を用いて本発明の実施例を説明する。
【００１６】
図１は本発明の実施の形態に係るエレベーター昇降路の平面図である。
【００１７】
２台の隣接するエレベーターが据付けられる昇降路１は、中間ビーム２により昇降路３、４に分割（区画）されている。乗りかご５、６および釣合いおもり７、８は、それぞれガイドレール９-１、９-２、１０-１、１０-２、１１-１、１１−２、１２-１、１２-２に案内され上下する。なお、ガイドレール９-２、１０-２、１１-１、１１−２、１２-１、１２-２は昇降路１の壁面に固定され、ガイドレール９-１、１０-１は、中間ビームに固定されている（図示省略）。
【００１８】
ガイドレール９-１、１０-１には、ポジテクタの遮蔽板等の昇降路内機器１３を取付けるためのブラケット１５、１６が固定されている。ブラケット１５、１６はガイドレール９-１、１０-１に一端を固定し、他端側は反ガイドレール方向（ガードレール側とは反対側の方向）に延設されている。
【００１９】
図２にブラケット１５、１６が設けられているブラケット部の拡大斜視図を示す。
【００２０】
ブラケット１５、１６は、それぞれ上下２つのブラケット１５-１、１５-２、１６-１、１６-２に分割されている。ブラケット１５-１、１５-２及び１６-１、１６-２は、一端がガイドレール９-１、１０-１にそれぞれレールクリップ１４により固定され、他端が反ガイドレール方向に延設されている。
【００２１】
ブラケット１５-１、１５-２、１６-１、１６-２の他端（ガイドレール側とは反対側の先端部）は、隣接するエレベーター方向に曲げられ、中間ビーム２を囲い込むように配置されている。すなわち、ブラケット１５-１、１５-２の他端は、隣接するエレベーターのガイドレール１０-１が設けられた側に曲げられ、ブラケット１６-１、１６-２の他端は、隣接するエレベーターのガイドレール９-１が設けられた側に曲げられている。そして、ブラケット１５-１、１５-２、１６-１、１６-２の他端が、それぞれ中間ビーム２まで延長するように形成（ブラケットの先端が中間ビームと交差して重なり合う部分ができるまで延長して形成）されている。そして、ブラケット１５-１、１５-２、１６-１、１６-２の他端によって中間ビーム２を囲い込むようにしている。また、ブラケット１５-１、１５-２、１６-１、１６-２同士が上下左右方向で一部先端が重なり合うようになっており、重なり合った部分を接続している。接続手段としては、本実施例では、ボルト１７、ナット１８、ばね座金１９、平座金２０を用いているがこれらに限定されるものではない。
【００２２】
図３Ａ〜図３Ｄにブラケット１５-１、１５-２、１６-１、１６-２の詳細斜視図を示す。
【００２３】
ブラケット１５-１、１５-２、１６-１、１６-２のガイドレール固定側には、レールクリップ取り付け用穴２１と昇降路内機器（遮蔽板等）１３の取り付け用穴２２が形成されている。
【００２４】
ブラケット１５-１、１５-２、１６-１、１６-２の他端（ガイドレール側とは反対側の先端部）は、上述したように、隣接するエレベーター方向に曲げられている。そして、ブラケットは、上述したように中間ビーム２まで延長するように形成されている。曲げられて中間ビーム２まで延長したブラケット先端部は、それぞれ、ブラケットのガイドレール側とは反対側の部分と中間ビームとの間にエレベーター長尺部材が回り込むことを阻むプロテクター部Ａ、Ｂ、Ｃ、Ｄとして機能する。
【００２５】
ブラケット１５-１、１５-２、１６-１、１６-２のプロテクター部Ａ、Ｂ、Ｃ、Ｄには、先端側に切り欠き２３、２４、２５、２６が形成されている。これにより、プロテクター部Ａ、Ｂ、Ｃ、Ｄが中間ビーム２を取り囲むように、ブラケット１５-１、１５-２、１６-１、１６-２を設置することができる。
【００２６】
中間ビーム２を囲い込むように配置されたブラケット１５-１、１５-２、１６-１、１６-２のプロテクター部Ａ、Ｂ、Ｃ、Ｄは、上述したように、上下左右方向で一部先端が重なり合っている。ボルト１７などを用いてプロテクター部同士を接続するため、ブラケットのプロテクター部Ａ、Ｂ、Ｃ、Ｄには、ボルト接続用穴が形成されている。
【００２７】
本実施の形態では、ブラケット１５-１のプロテクター部Ａは、ブラケット１６-１との接続用ボルト穴２７とブラケット１５-２との接続用ボルト穴２８を有する。ブラケット１５-２のプロテクター部Ｂは、ブラケット１５-１との接続用ボルト長穴２９とブラケット１６-２との接続用ボルト穴３０を有する。ブラケット１６-１のプロテクター部Ｃは、ブラケット１５-１との接続用ボルト長穴３１とブラケット１６-２との接続用ボルト穴３２を有する。また、ブラケット１６-２のプロテクター部Ｄは、ブラケット１６-１との接続用ボルト長穴３３とブラケット１５-２との接続用ボルト長穴３４を有する。このように、ブラケット１５-２のプロテクター部Ｂ、１６-１のプロテクター部Ｃ、１６-２のプロテクター部Ｄが長穴２９、３１、３３と３４をそれぞれ有することで、上下左右方向で取り付け位置調整が可能となり、施工性が向上する。
【００２８】
本実施の形態では、昇降路内機器取付け用ブラケット自体を、ブラケットと中間ビームとの間に、エレベーター長尺部材が入り込む隙間が形成されないように、ブラケットのガイドレール側とは反対側の先端を中間ビーム２まで延長したエレベーターの引掛かり防止機構付ブラケットとしている。言い換えれば、ブラケットの先端にエレベーター長尺部材が回り込むことを阻むプロテクター部を有するエレベーターの引掛かり防止機構付ブラケットとしている。したがって、簡易な構造により、中間ビーム２とブラケット１５、１６との隙間を塞ぎ、隙間へのエレベーター長尺部材の回り込みを防止することができる。さらに、昇降路内機器取付け用ブラケット自体がエレベーターの引掛かり防止機構付ブラケットとして構成されているので、「発明が解決しようとする課題」の欄で述べたような、ブラケット先端と中間ビーム間に引っ掛り防止ワイヤーを張る必要が無い。したがって、施工時間の短縮が図れ、特に、階床数の多い高層エレベーター等の場合に作業時間を短縮することができる。
【００２９】
また、本実施の形態では、隣接して据付けられる一方のエレベーターのガイドレールに取り付けられる昇降路内機器取付け用ブラケットの先端部（プロテクター部Ａ，Ｂ）と、隣接して据付けられる他方のエレベーターのガイドレールに取り付けられる昇降路内機器取付け用ブラケットの先端部（プロテクター部Ｃ，Ｄ）とが、中間ビーム２を取り囲むように、ブラケット１５-１、１５-２、１６-１、１６-２を設置しているので、中間ビーム２とブラケット１５、１６との隙間を確実に塞ぎ、隙間へのエレベーター長尺部材の回り込みを確実に防止することができる。
【００３０】
さらに、本実施の形態では、中間ビーム２を囲い込むように配置されたプロテクター部Ａ、Ｂ、Ｃ、Ｄ同士を接続している。したがって、プロテクター部Ａ、Ｂ、Ｃ、Ｄを介してブラケット１５-１、１５-２、１６-１、１６-２同士が接続されることになり、ブラケットの剛性増しの効果が得られ、地震による揺れや昇降する乗りかごまたは釣合いおもりの走行振動によるブラケットの振れを抑制できる。
【００３１】
上述の実施の形態では、乗りかごのガイドレール９-１、１０-１に昇降路内機器取付け用のブラケット１５、１６を取り付けた場合について説明したが、図４に示すように、釣合いおもりのガイドレール１１-１、１２−１に昇降路内機器取付け用のブラケット３５、３６を取り付ける場合にも適用できる（図４ではブラケット３５、３６を取り付ける昇降路内機器の図示を省略している）。図４に示すブラケット３５、３６の場合、乗りかごのガイドレール９-１、１０-１に取り付けられる昇降路内機器取付け用のブラケット１５、１６と異なり、曲り部は形成されていないが、ブラケット３５、３６が中間ビーム２と交差する部分ができるように中間ビーム２まで延長して形成されている。そして、上述の実施の形態と同様に、ブラケット３５、３６の先端が重なり合うようになっており、ボルトなどによってブラケット３５、３６の先端（プロテクタ部）同士が接続されている。また、図示を省略しているが、上述の実施の形態と同様に、ブラケット３５、３６の先端において中間ビーム２を取り囲むように形成されている。
【００３２】
本実施の形態でも上述の実施の形態と同様な効果を奏することができる。
【００３３】
なお、本発明は上記した実施の形態に限定されるものではなく、様々な変形例が含まれる。例えば、上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加，削除，置換をすることが可能である。
【００３４】
例えば、上述した実施の形態では、ブラケット１５、１６を、上下にブラケット１５-１と１５-２、１６-１と１６-２の二つの部材で構成したが、上側のブラケット１５-１、１６-１のみの構成としても良い。ブラケットの剛性増しの効果は低下するが、その他は上述の実施の形態と同様の効果を期待できる。
【符号の説明】
【００３５】
１…昇降路
２…中間ビーム
３，４…昇降路（中間ビーム２によって分割された昇降路）
５，６…乗りかご
７，８…釣合いおもり
９-１，９-２，１０-１，１０-２…ガイドレール（乗りかご用）
１１-１，１１-２，１２-１，１２-２…ガイドレール（釣合いおもり用）
１３…昇降路内機器（遮蔽板等）
１４…レールクリップ
１５，１５-１，１５-２，１６，１６-１，１６-２…ブラケット
１７…ボルト
１８…ナット
１９…ばね座金
２０…平座金
２１…レールクリップ取り付け用穴
２２…昇降路内機器（遮蔽板等）の取り付け用穴
２３，２４，２５，２６…切り欠き
２７，２８，３０，３２…接続用ボルト穴
２９，３１，３３，３４…接続用ボルト長穴
３５，３６…ブラケット
Ａ，Ｂ，Ｃ，Ｄ…プロテクター部
【図１】
2014172713.tif 000003
【図２】
2014172713.tif 000004
【図３Ａ】
2014172713.tif 000005
【図３Ｂ】
2014172713.tif 000006
【図３Ｃ】
2014172713.tif 000007
【図３Ｄ】
2014172713.tif 000008
【図４】
2014172713.tif 000009